(57)【特許請求の範囲】
【請求項１】
意匠面を構成する樹脂部品に開口部を形成し、該開口部に樹脂製のカバー部材を取付けると共に、該カバー部材がその一側部に前記開口部の一側部に係止するための係止用突片を備え、前記カバー部材がその他側部に弾性爪を備え、前記カバー部材がその他側部に取外用凹部を備えた樹脂部品の取付構造において、
前記開口部の内奥部に、前記取外用凹部と前記開口部との間へ挿入した取外用工具の支点となる支点部材を設け、該支点部材を支点とし、取外用凹部を作用点として、テコの原理でカバー部材を持上げるようにすることを特徴とする樹脂部品の取付構造。
【請求項２】
意匠面を構成する樹脂部品に開口部を形成し、該開口部に樹脂製のカバー部材を取付けると共に、該カバー部材がその一側部に前記開口部の一側部に係止するための係止用突片を備え、前記カバー部材がその他側部に弾性爪を備え、前記カバー部材がその他側部に取外用凹部を備えた樹脂部品の取付構造において、
前記開口部の内奥部に、前記取外用凹部と前記開口部との間へ挿入した取外用工具の支点となる支点部材を設け、該支点部材を弾性爪の側まで延長して弾性爪を係止させるとともに、前記支点部材を支点とし、取外用凹部を作用点として、テコの原理でカバー部材を持上げるようにすることを特徴とする樹脂部品の取付構造。
【請求項３】
前記取外用凹部と前記開口部との間に、両者の間隙を埋める蓋体を設けたことを特徴とする請求項１乃至請求項２の何れか１項に記載の樹脂部品の取付構造。
【発明の詳細な説明】
【０００１】
【発明の属する技術分野】
この発明は、樹脂部品の取付構造に関するものである。
【０００２】
【従来の技術】
自動車などの車両には、各所に樹脂部品が使用されている。そして、例えば、図３〜図５に示すように、意匠面を構成する樹脂部品１に開口部２を形成し、この開口部２に、開口部２と略同形状をした樹脂製のカバー部材３を取付けた構造が多用されている。
【０００３】
このカバー部材３は、その一側部に、開口部２の一側部に係止するための係止用突片４を備えており、その他側部に、開口部２の他側部に係止するための弾性爪５を備えている。
【０００４】
また、カバー部材３は、その他側部に取外用凹部６を備えている。
【０００５】
このような構成によれば、樹脂部品１の開口部２にカバー部材３を取付けるには、カバー部材３一側部の係止用突片４を開口部２の一側部に係止させ、次いで、カバー部材３他側部の弾性爪５を開口部２の他側部に係止させるようにする。
【０００６】
樹脂部品１の開口部２からカバー部材３を取外すには、図５に示すように、取外用凹部６と開口部２との間へ取外用工具７を挿入し、開口部２の他側部を支点８とし、取外用凹部６を作用点９として、テコの原理でカバー部材３を持上げるようにする。
【０００７】
このような技術としては、例えば、特開平６−３２１８５号公報等がある。
【０００８】
【発明が解決しようとする課題】
しかしながら、このような従来の樹脂部品の取付構造では、開口部２の他側部を支点としているので、カバー部材３を取外した際に意匠面を構成する樹脂部品１に傷付きが発生し、見栄えが悪くなるという問題があった。また、取外用凹部６があるため、見栄えが悪いという問題があった。
【０００９】
そこで、本発明の目的は、上記の問題点を解消し、カバー部材を取外す際の傷付きを防止すると共に、見栄えを向上することのできる樹脂部品の取付構造を提供することにある。
【００１０】
【課題を解決するための手段】
上記課題を解決するために、請求項１に記載された発明では、意匠面を構成する樹脂部品に開口部を形成し、該開口部に樹脂製のカバー部材を取付けると共に、該カバー部材がその一側部に前記開口部の一側部に係止するための係止用突片を備え、前記カバー部材がその他側部に弾性爪を備え、前記カバー部材がその他側部に取外用凹部を備えた樹脂部品の取付構造において、前記開口部の内奥部に、前記取外用凹部と前記開口部との間へ挿入した取外用工具の支点となる支点部材を設け、該支点部材を支点とし、取外用凹部を作用点として、テコの原理でカバー部材を持上げるようにする樹脂部品の取付構造を特徴としている。
【００１１】
このように構成された請求項１にかかる発明によれば、樹脂部品の開口部からカバー部材を取外すには、取外用凹部と支点部材との間へ取外用工具を挿入し、支点部材を支点とし、取外用凹部を作用点として、テコの原理でカバー部材を持上げるようにする。前記開口部の内奥部に、前記取外用凹部と前記開口部との間へ挿入した取外用工具の支点となる支点部材を設けたことにより、カバー部材を取外す際に、取外用工具が意匠面を構成する樹脂部品に直接当らないので、意匠面を構成する樹脂部品に傷付きが発生するのが防止され、以て、見栄えを損うことがない。
【００１２】
請求項２に記載された発明では、前記取外用凹部と前記開口部との間に、両者の間隙を埋める蓋体を設けた請求項１記載の樹脂部品の取付構造を特徴としている。
【００１３】
このように構成された請求項２にかかる発明によれば、前記取外用凹部と前記開口部との間に、両者の間隙を埋める蓋体を設けたことにより、外部から取外用凹部が見え難くなるので、見栄えを向上することができる。
【００１４】
【発明の実施の形態】
以下、本発明の具体的な実施の形態について、図示例と共に説明する。
【００１５】
図１、図２は、この発明の実施の形態を示すものである。なお、従来例と同一ないし均等な部分については、同一の符号を付すことにより説明を省略する。
【００１６】
まず、構成を説明すると、この実施の形態のものでは、開口部２の内奥部に、取外用凹部６と開口部２との間へ挿入した取外用工具７の支点１２となる支点部材１１を設けるようにする。この支点部材１１は、意匠面を構成する樹脂部品１と一体としても、別体としても良い。また、支点部材１１は、樹脂製としても、金属製としても良い。なお、支点部材１１を弾性爪５の側まで延長して、図２に示すように、弾性爪５を係止させるようにしても良い。
【００１７】
更に、取外用凹部６と開口部２との間に、両者の間隙を埋める蓋体１３を設けるようにする。
【００１８】
次に、この実施の形態の作用について説明する。
【００１９】
樹脂部品１の開口部２にカバー部材３を取付けるには、図２に示すように、カバー部材３一側部の係止用突片４を開口部２の一側部に係止させ、次いで、カバー部材３他側部の弾性爪５を開口部２の内奥部に設けた支点部材１１に係止させるようにする。
【００２０】
樹脂部品１の開口部２からカバー部材３を取外すには、図１に示すように、取外用凹部６と開口部２との間から蓋体１３を除去し、取外用凹部６と支点部材１１との間へ取外用工具７を挿入し、支点部材１１を支点１２とし、取外用凹部６を作用点９として、テコの原理でカバー部材３を持上げるようにする。
【００２１】
このように、この実施の形態によれば、開口部２の内奥部に、取外用凹部６と開口部２との間へ挿入した取外用工具７の支点１２となる支点部材１１を設けたことにより、カバー部材を取外す際に、取外用工具７が意匠面を構成する樹脂部品に直接当らないので、意匠面を構成する樹脂部品に傷付きが発生するのが防止され、以て、見栄えを損うことがない。
【００２２】
また、取外用凹部６と開口部２との間に、両者の間隙を埋める蓋体１３を設けたことにより、外部から取外用凹部６が見え難くなるので、見栄えを向上することができる。
【００２３】
【発明の効果】
以上説明してきたように、請求項１の発明によれば、開口部の内奥部に、取外用凹部と開口部との間へ挿入した取外用工具の支点となる支点部材を設け、該支点部材を支点とし、取外用凹部を作用点として、テコの原理でカバー部材を持上げるようにすることにより、カバー部材を取外す際に、取外用工具が意匠面を構成する樹脂部品に直接当らないので、意匠面を構成する樹脂部品に傷付きが発生するのが防止され、以て、見栄えを損うことがない。
【００２４】
請求項２の発明によれば、取外用凹部と開口部との間に、両者の間隙を埋める蓋体を設けたことにより、外部から取外用凹部が見え難くなるので、見栄えを向上することができる、という実用上有益な効果を発揮し得る。
【図面の簡単な説明】
【図１】本発明の実施の形態にかかる図５に相当する断面図である。
【図２】本発明の実施の形態にかかる図４に相当する断面図である。
【図３】従来例の斜視図である。
【図４】図３のＡ−Ａ断面図である。
【図５】図３のＢ−Ｂ断面図である。
【符号の説明】
１    樹脂部品
２    開口部
３    カバー部材
４    係止用突片
５    弾性爪
６    取外用凹部
７    取外用工具
１１  支点部材
１２  支点
１３  蓋体
【図１】
0004123818.tif 000002
【図２】
0004123818.tif 000003
【図３】
0004123818.tif 000004
【図４】
0004123818.tif 000005
【図５】
0004123818.tif 000006